(57)【要約】【課題】ＬＥＤなどの光源の点灯駆動において、小型化と高輝度化を可能とする光源点灯駆動装置を提供する。【解決手段】光源点灯駆動装置１において、スイッチ部１５は、複数のＬＥＤ３０−Ｒ、３０−Ｇ、３０−Ｂのいずれか１つを切り替えて選択する。チョッパ回路１０は、ＦＥＴ１３のオン状態にてインダクタ１１に蓄積された電力をＦＥＴ１３のオフ状態にてインダクタ１１からダイオード１２を通じてＬＥＤに供給させる。発振器２２は、インダクタ１１のインダクタンス及び選択されるＬＥＤの負荷容量に応じた定常的に変化する電力がチョッパ回路１０を通じてＬＥＤに供給されるようにＦＥＴ１３を動作させる周波数の信号を出力する。チョッパ回路駆動部２１は、ＬＥＤの負荷容量に応じた電力量が当該ＬＥＤに供給されるようなデューティ比を有し、発振器２２から出力される信号の周波数をスイッチング周波数とする信号によりＦＥＴ１３を動作させる。【選択図】図１
2008130907.tif 000002
【特許請求の範囲】
【請求項１】
負荷容量が異なる複数の光源の点灯の駆動を行う光源点灯駆動装置であって、
前記複数の光源のいずれか１つを切り替えて選択するスイッチ部と、
電源に接続されるインダクタと、前記スイッチ部にて選択される光源に接続されるダイオードと、前記インダクタへの電力の蓄積及び放出をオン状態及びオフ状態で制御し、前記インダクタに蓄積された電力を前記ダイオードを通じて光源に供給させるスイッチング素子とを有するチョッパ回路と、
前記インダクタのインダクタンスに応じて定められる上限値及び下限値の範囲内の電力であって、かつ前記スイッチ部が選択する光源の負荷容量に応じた電力が前記インダクタから前記ダイオードを通じて前記光源に供給されるように前記スイッチ素子を動作させる周波数の信号を出力する発振器と、
前記スイッチ部が選択する光源の負荷容量に応じた電力量を当該光源に供給するデューティ比を有し、前記発振器から出力される信号の周波数をスイッチング周波数とする信号を形成し、形成した信号に基づいて前記スイッチング素子を動作させるチョッパ回路駆動部と、
を備えたことを特徴とする光源点灯駆動装置。
【請求項２】
前記インダクタのインダクタンスに応じて定められる上限値及び下限値の範囲内の電力とは、前記インダクタから供給される電力が飽和状態あるいは不連続状態とはならない値の電力であることを特徴とする請求項１に記載の光源点灯駆動装置。
【請求項３】
前記発振器は、
前記スイッチ部が選択する光源の負荷容量に対して必要となる電力が小さい場合には、当該負荷容量に対して必要となる電力が大きい場合に比べて高い周波数の信号を出力する
ことを特徴とする請求項１に記載の光源点灯駆動装置。
【発明の詳細な説明】
【技術分野】
【０００１】
本発明は、例えば、プロジェクタに用いられるＬＥＤなどの光源の点灯制御を行なう光源点灯駆動装置に関する。
【背景技術】
【０００２】
従来、プロジェクタに用いられるＬＥＤ（Light Emitting Diode）の点灯制御を行なう構成としては、図７に示すように赤色のＬＥＤ１０１、緑色のＬＥＤ１１１、青色のＬＥＤ１２１ごとに光源点灯駆動装置１００、１１０、１２０を備える構成が適用されていた。当該構成では、点灯指示信号発生回路１３０から、図８（ａ）に示すように赤色、緑色、青色ごとに時分割された点灯指示信号（Ｒ＿ｏｎ）、（Ｇ＿ｏｎ）、（Ｂ＿ｏｎ）を出力させ、光源点灯駆動装置１００、１１０、１２０のスイッチ１０２、１１２、１２２を切り替えることで、図８（ｂ）に示すようなタイミングで点灯と消灯が繰り返し行われることになる。また、図８（ｃ）に示すＬＥＤ電流の変化からわかるように各光源点灯駆動装置１００、１１０、１２０は、スイッチ１０２、１１２、１２２がオンにされたときのみ動作状態となり、他のＬＥＤ点灯時には非動作状態（スタンバイ状態）となる。
【０００３】
ところで、プロジェクタにおいては、市場要求として小型化や高輝度化が求められており、小型化の観点から図９に示すような光源点灯駆動装置２００や特許文献１に示すようなＬＥＤ駆動装置などが提案されている。
【０００４】
図９に示す光源点灯駆動装置２００では、図７に示す光源点灯駆動装置１００、１１０、１２０を共通化した構成を有している。当該光源点灯駆動装置２００では、ＬＥＤ３０−Ｒ、ＬＥＤ３０−Ｇ、ＬＥＤ３０−Ｂの点灯に必要となるＬＥＤ電流値（以下、目標電流値という）を設定するための可変抵抗１７を備えている。そして、点灯指示信号発生回路１６から、図１０（ａ）に示すような、赤色、緑色、青色のＬＥＤ３０−Ｒ、３０−Ｇ、３０−Ｂごとに時分割された点灯指示信号（Ｒ＿ｏｎ）、（Ｇ＿ｏｎ）、（Ｂ＿ｏｎ）を出力させ、当該点灯指示信号によりスイッチ１５−Ｒ、１５−Ｇ、１５−Ｂを切り替えるとともに、可変抵抗１７の抵抗値を切り替えて目標電流値を変更させる。これにより、図１０（ｂ）に示すような点灯状態を実現している。このとき、図１０（ｃ）に示すようにＬＥＤ電流は常に存在するため光源点灯駆動装置２００は常時動作状態となる。
【特許文献１】米国特許出願公開第２００６／０１８１４８５号明細書
【発明の開示】
【発明が解決しようとする課題】
【０００５】
しかしながら、図９に示す光源点灯駆動装置２００のように共通化を行なった構成では、ある範囲の電流値では、ＬＥＤ３０−Ｒ、３０−Ｇ、３０−Ｂを正常に動作させることができるが、高輝度化のためにＬＥＤ３０−Ｒ、３０−Ｇ、３０−Ｂに供給する電流値を増加させた場合、以下のような問題が生じることになる。
【０００６】
例えば、共通化されているチョッパ回路１０のインダクタ１１の容量が緑色のＬＥＤ３０−Ｂに流れるＬＥＤ電流の値に対応させて備えられているとする。ＬＥＤ３０−Ｂを点灯させる際には、インダクタ１１に流れる電流ＩＬは、図１１（ａ）のようにΔＩＬの範囲で定常的に変動し、ＬＥＤ３０−Ｂは安定して点灯することになる。
【０００７】
しかし、ＬＥＤ３０−Ｒを点灯させる際には、ＬＥＤ３０−Ｂを点灯させた場合よりも多くのＬＥＤ電流が必要となることから、インダクタ１１が飽和してしまう場合がある。このとき、図１１（ｂ）のｐｏｉｎｔ＿ａに示されるように、インダクタ電流ＩＬにおいて飽和現象が発生することになる。このようなインダクタ電流ＩＬが流れるとドライバ２０１が停止してしまい、正常に点灯の動作をさせることができないという問題がある。
【０００８】
また、逆に、インダクタ１１の容量が赤色のＬＥＤ３０−Ｒに流れるＬＥＤ電流値に対応させて設けられていた場合に、図１２に示すように青色のＬＥＤ３０−Ｂを点灯させたとき、インダクタ１１に十分なエネルギが蓄積されない場合がある。このとき、図１２（ｂ）のｐｏｉｎｔ＿ａに示されるように、インダクタ電流ＩＬに不連続現象が発生してしまい、ＬＥＤ３０−Ｂの点灯においてフラッシングなどの現象が発生し、正常に点灯の動作をさせることができないという問題がある。
【０００９】
従って、ＬＥＤの高輝度化を図るためには、上述した図７に示す共通化されていない構成を用いなければならず、小型化して低コスト化を図ることができず、小型化とともに高輝度化を図ることは困難であるという問題があった。
【００１０】
本発明は、上記問題を解決すべくなされたもので、その目的は、ＬＥＤなどの光源の点灯駆動において、小型化と高輝度化を可能とする光源点灯駆動装置を提供することにある。
【課題を解決するための手段】
【００１１】
上記問題を解決するために、本発明は、負荷容量が異なる複数の光源の点灯の駆動を行う光源点灯駆動装置であって、前記複数の光源のいずれか１つを切り替えて選択するスイッチ部と、電源に接続されるインダクタと、前記スイッチ部にて選択される光源に接続されるダイオードと、前記インダクタへの電力の蓄積及び放出をオン状態及びオフ状態で制御し、前記インダクタに蓄積された電力を前記ダイオードを通じて光源に供給させるスイッチング素子とを有するチョッパ回路と、前記インダクタのインダクタンスに応じて定められる上限値及び下限値の範囲内の電力であって、かつ前記スイッチ部が選択する光源の負荷容量に応じた電力が前記インダクタから前記ダイオードを通じて前記光源に供給されるように前記スイッチ素子を動作させる周波数の信号を出力する発振器と、前記スイッチ部が選択する光源の負荷容量に応じた電力量を当該光源に供給するデューティ比を有し、前記発振器から出力される信号の周波数をスイッチング周波数とする信号を形成し、形成した信号に基づいて前記スイッチング素子を動作させるチョッパ回路駆動部と、を備えたことを特徴とする光源点灯駆動装置である。
この構成により、発振器がスイッチ部により選択される光源の負荷容量に応じた周波数の信号を出力し、チョッパ回路駆動部においてスイッチ部により選択される光源の負荷容量に応じた電力量が当該光源に供給されるようなデューティ比を有し、発振器から出力される信号の周波数をスイッチング周波数とする信号を形成することができるため、チョッパ回路から光源の負荷容量に応じた一定の範囲内で定常的に変化する電力を出力することが可能となる。
【発明の効果】
【００１２】
この発明によれば、光源点灯駆動装置は、複数の光源のいずれか１つを切り替えて選択するスイッチ部と、電源に接続されるインダクタと、スイッチ部にて選択される光源に接続されるダイオードと、インダクタへの電力の蓄積及び放出をオン状態及びオフ状態で制御し、インダクタに蓄積された電力をダイオードを通じて光源に供給させるスイッチング素子とを有するチョッパ回路と、インダクタのインダクタンスに応じて定められる上限値及び下限値の範囲内の電力であって、かつスイッチ部が選択する光源の負荷容量に応じた電力がインダクタからダイオードを通じて光源に供給されるようにスイッチ素子を動作させる周波数の信号を出力する発振器と、スイッチ部が選択する光源の負荷容量に応じた電力量を当該光源に供給するデューティ比を有し、発振器から出力される信号の周波数をスイッチング周波数とする信号を形成し、形成した信号に基づいてスイッチング素子を動作させるチョッパ回路駆動部とを備える構成とした。
これにより、複数の光源においてチョッパ回路、チョッパ回路駆動部、発振器の共通化を図ることができることから光源点灯駆動装置の小型化を図ることができるとともに、光源の負荷容量に応じた電力を供給することができるため高輝度化を図ることが可能となる。
【発明を実施するための最良の形態】
【００１３】
以下、本発明の実施形態を図面を参照して説明する。
図１は、本実施形態による光源点灯駆動装置１と当該光源点灯駆動装置１に接続端子２５−１から２５−４を通じて接続される赤色のＬＥＤ３０−Ｒ、緑色のＬＥＤ３０−Ｇ、青色のＬＥＤ３０−Ｂの構成を示す概略ブロック図である。
【００１４】
図１において、赤色のＬＥＤ３０−Ｒ、緑色のＬＥＤ３０−Ｇ、青色のＬＥＤ３０−Ｂはそれぞれ異なる負荷容量を有している。
【００１５】
光源点灯駆動装置１において、点灯指示信号発生回路１６は、ＬＥＤ３０−Ｒ、ＬＥＤ３０−Ｇ、ＬＥＤ３０−Ｂのそれぞれを時分割で切り替えて点灯させる際の点灯指示信号、（Ｒ＿ｏｎ）、（Ｇ＿ｏｎ）、（Ｂ＿ｏｎ）を出力する。ドライバＩＣ２０は、点灯指示信号に従ってチョッパ回路１０の動作を制御するための信号を形成する。チョッパ回路１０は、ドライバＩＣ２０から入力される信号に基づいてスイッチング動作を行なうことでＬＥＤ３０−Ｒ、３０−Ｇ、３０−Ｂの負荷容量に応じた電流を供給する。スイッチ部１５は、それぞれＬＥＤ３０−Ｒ、３０−Ｇ、３０−Ｂの一端に接続されるスイッチ１５−Ｒ、１５−Ｇ、１５−Ｂを有しており、点灯指示信号発生回路１６から出力される点灯指示信号に基づいていずれか１つのスイッチ１５−Ｒ、１５−Ｇ、１５−Ｂへ切り替えられる。可変抵抗１７は、一端にて直流電源（Ｖｒｅｆ）に接続され、点灯指示信号により抵抗値が切り替えられ、ＬＥＤ３０−Ｒ、ＬＥＤ３０−Ｇ、ＬＥＤ３０−Ｂの点灯に必要となる目標となるＬＥＤ電流値（以下、目標電流値という）をドライバＩＣ２０に供給する。
【００１６】
チョッパ回路１０において、インダクタ１１は、一端で直流電源（Ｖｉｎ）に接続され、ＦＥＴ１３のオン状態でエネルギを蓄積し、オフ状態で蓄積したエネルギを出力することで、ＦＥＴ１３のスイッチングされる周波数に応じたインダクタ電流ＩＬを供給する。ダイオード１２は、接続端子２５−１を通じてＬＥＤ３０−Ｒ、３０−Ｇ、３０−Ｂと接続され、インダクタ電流ＩＬを整流してＬＥＤ電流として供給する。スイッチング素子であるＦＥＴ（Field effect transistor）１３は、ゲート端子にてドライバＩＣ２０に接続され、ドレイン端子にてインダクタ１１とダイオード１２に接続され、ドライバＩＣ２０から出力される信号に基づいてオン、オフの動作を繰り返してインダクタ１１をスイッチングさせる。また、チョッパ回路１０のインダクタ１１の入力端に接続されるコンデンサ１９は入力コンデンサであり、直流電源（Ｖｉｎ）の高周波成分を除去する。また、ダイオード１２の出力端に接続されるコンデンサ１４は、出力コンデンサであり、ダイオード１２から出力される電流の高周波成分を除去する。
【００１７】
ドライバＩＣ２０において、発振器２２は、可変抵抗２４に接続されており点灯指示信号により切り替えられる可変抵抗２４の抵抗値に応じたスイッチング周波数（ｆｓｗ）の信号をチョッパ回路駆動部２１に入力する。ここで、発振器２２は、可変抵抗２４の抵抗値が小さい場合ほど低い周波数のスイッチング周波数（ｆｓｗ）を出力するものとする。
【００１８】
エラーアンプ（Ｅｒｒ  Ａｍｐ）２３は、例えば、オペアンプが適用され、入力端子の負の端子には、スイッチ部１５と抵抗１８に接続され、入力端子の正の端子は、可変抵抗１７に接続され、可変抵抗１７を通じて供給される目標電流値と、スイッチ部１５から入力される電流値の差の値に応じた信号を出力信号としてチョッパ回路駆動部２１に入力する。
【００１９】
チョッパ回路駆動部２１は、エラーアンプ２３から入力される信号の値の大きさに応じたデューティ比であって、発振器２２から入力されるスイッチング周波数の信号を形成してＦＥＴ１３のゲート端子に入力する。
【００２０】
次に、図２から図５を参照しつつ、光源点灯駆動装置１の動作原理について説明する。図２は、赤、緑、青のいずれか１つのＬＥＤが選択されている状態を示しており、選択されるＬＥＤをＬＥＤ３０として示している。また、スイッチ部１５、及び発振器２２に接続される可変抵抗２４並びにエラーアンプ２３の一端に接続される可変抵抗１７においても、選択したＬＥＤに対応するスイッチ、抵抗値が選択されているものとする。
【００２１】
図２において、インダクタ１１のリップル電流ΔＩＬと入力電圧（Ｖｉｎ）の関係は次式（１）により表される。
【００２２】
【数１】
2008130907.tif 000003
【００２３】
式（１）において、Ｌは、インダクタ１１のインダクタンスであり、ΔｔはＦＥＴ１３のオン状態の時間を示している。また、インダクタ１１の平均電流ＩＬａｖｇと、入力電圧（Ｖｉｎ）とＬＥＤ電流ＩＬＥＤ、ＬＥＤ電圧ＶＬＥＤの関係は次式（２）により表される。
【００２４】
【数２】
2008130907.tif 000004
【００２５】
式（２）において、Ｅｆｆは、チョッパ回路１０の入出力効率を示している。このとき、インダクタ１１のピーク電流ＩＬｐｅａｋは、上記式（１）及び（２）に基づいて、次式（３）のように表され、インダクタ電流ＩＬは、図３で表される波形となる。
【００２６】
【数３】
2008130907.tif 000005
【００２７】
式（３）において、ｆｓｗは、発振器２２により出力されるＦＥＴ１３のスイッチング周波数である。式（３）から分かるように、ＬＥＤ電流ＩＬＥＤの増減に伴い、インダクタ電流ＩＬも増減することになる。ここで、ＬＥＤ電流ＩＬＥＤの増減は、ＬＥＤ３０の負荷容量に応じて変化する。ここで、エラーアンプ２３の正の入力端子に入力する目標電流値を増加させ、インダクタ１１を飽和させる上限値を超えた場合、インダクタ電流ＩＬに前述した図１１（ｂ）に示すような飽和現象が発生してＬＥＤ３０の点灯動作が不安定となり、最終的にドライバＩＣ２０が停止することになる。また、逆に、目標電流値を減少させ、インダクタ１１に十分なエネルギを蓄積させることができない場合、インダクタ電流ＩＬに前述した図１２（ｂ）に示すような不連続現象が発生し、ＬＥＤ３０の点灯においてフラッシングなどの現象が発生することになる。
【００２８】
ところで、式（３）の右辺の第２項から、スイッチング周波数（ｆｓｗ）とインダクタ電流ＩＬの増減は逆の関係にあることが分かる。すなわち、スイッチング周波数（ｆｓｗ）が増加すると、インダクタ電流ＩＬは減少し、逆に、スイッチング周波数（ｆｓｗ）が減少すると、インダクタ電流ＩＬは増加することになる。
【００２９】
つまり、図４に示すように飽和現象が生じている場合には、スイッチング周波数（ｆｓｗ）を増加させることにより、インダクタ電流ＩＬを減少させることができ、インダクタ１１を飽和させる上限値を超えないようにすることが可能となる。また、図５に示すように不連続現象が生じている場合には、スイッチング周波数（ｆｓｗ）を減少させることにより、インダクタ電流ＩＬを増加させることができ、インダクタ電流ＩＬがインダクタ１１にエネルギの蓄積及び放出のサイクルを正常に繰り返される状態にして不連続状態とならないようにすることが可能となる。
【００３０】
なお、スイッチング周波数（ｆｓｗ）は、ＦＥＴ１３の損失に大きく影響することから、スイッチング周波数が高くなるにつれてＦＥＴ１３の損失が増加し光源点灯駆動装置１の入出力効率を低下を招くことになるため、飽和現象の発生を防ぐためにスイッチング周波数（ｆｓｗ）を増加させる場合には、当該入出力効率の低下を考慮した上限値の範囲内で定める必要がある。
【００３１】
次に、図１と図６を参照しつつ光源点灯駆動装置１の動作について説明する。前提として、赤色のＬＥＤ３０−Ｒ、緑色のＬＥＤ３０−Ｇ、青色のＬＥＤ３０−Ｂは負荷容量が異なり、図６（ｃ）に示すようにＬＥＤ電流ＩＬＥＤにおいて、赤色のＬＥＤ３０−Ｒに必要なＬＥＤ電流ＩＬＥＤ＿Ｒの値は、青色のＬＥＤ３０−Ｂに必要なＬＥＤ電流ＩＬＥＤ＿Ｂの値よりも大きく、青色のＬＥＤ３０−Ｂに必要なＬＥＤ電流ＩＬＥＤ＿Ｂの値は、緑色のＬＥＤ３０−Ｇに必要なＬＥＤ電流ＩＬＥＤ＿Ｇの値よりも大きいという関係があるものとする。
【００３２】
まず、点灯指示信号発生回路１６から、赤色のＬＥＤ３０−Ｒを点灯させる点灯指示信号（Ｒ＿ｏｎ）が出力されるとする。当該点灯指示信号（Ｒ＿ｏｎ）が出力されることにより、ドライバＩＣ２０の可変抵抗２４は、点灯指示信号（Ｇ＿ｏｎ）、（Ｂ＿ｏｎ）が出力された場合の抵抗値よりも小さい抵抗値になるように切り替えられる。また、当該点灯指示信号Ｒ＿ｏｎが出力されることにより、エラーアンプ２３の正の入力端子に接続される可変抵抗１７についても、点灯指示信号（Ｇ＿ｏｎ）、（Ｂ＿ｏｎ）が出力された場合の抵抗値よりも小さい抵抗値になるよう、すなわちエラーアンプ２３の正の入力端子に入力される目標電流値が最も大きくなるように切り替えられる。また、スイッチ部１５において、スイッチ１５−Ｒがオン状態、すなわち接続状態とされ、スイッチ１５−Ｇ及びスイッチ１５−Ｂについてはオフ状態とされる。
【００３３】
ドライバＩＣ２０の発振器２２は可変抵抗２４において切り替えられた抵抗値に従って、緑色のＬＥＤ３０−Ｇや青色のＬＥＤ３０−Ｂが選択される場合よりも低い周波数のスイッチング周波数をチョッパ回路駆動部２１に入力する。また、エラーアンプ２３は、可変抵抗１７を通じて正の入力端子に入力される目標電流値と、スイッチ１５−Ｒを通じて負の入力端子に入力される電流値の差の値に応じた信号をチョッパ回路駆動部２１に入力する。
【００３４】
チョッパ回路駆動部２１は、エラーアンプ２３から入力される信号の値に応じたデューティ比であって、発振器２２から入力されるスイッチング周波数の信号を形成してＦＥＴ１３のゲート端子に入力する。ここで、エラーアンプ２３から入力される信号に応じたデューティ比は、エラーアンプ２３に入力される信号の値の大きさに応じた値となり、赤色のＬＥＤ３０−Ｒに必要となる目標電流値がＬＥＤ３０−ＧやＬＥＤ３０−Ｂに必要とされる目標電流値に比べて大きく、スイッチングによる電流値の変化の差が大きいことからオン状態のデューティ比が高いものとなる。
【００３５】
チョッパ回路１０のＦＥＴ１３は、ゲート端子から入力される信号に従ってスイッチングを行い、当該スイッチングよりインダクタ１１からインダクタ電流ＩＬが発生し、発生した電流がダイオード１２を通じて整流され、図６（ｃ）に示すＬＥＤ電流ＩＬＥＤ＿ＲとしてＬＥＤ３０−Ｒに供給されることになる。
【００３６】
上記の状態の後、図６（ａ）に示すタイミングで緑色の点灯指示信号Ｇ＿ｏｎ、青色の点灯指示信号Ｂ＿ｏｎに順に切り替えられ、その後、赤、緑、青の順に繰り返し切り替えられることになる。
【００３７】
点灯指示信号発生回路１６から点灯指示信号Ｇ＿ｏｎが出力された場合には、発振器２２から出力されるスイッチング周波数（ｆｓｗ）は、点灯指示信号Ｒ＿ｏｎ、点灯指示信号Ｂ＿ｏｎが入力される場合よりも高い周波数が出力される。また、エラーアンプ２３の正の入力端子に入力される目標電流値は、点灯指示信号Ｒ＿ｏｎ、点灯指示信号Ｂ＿ｏｎが入力される場合よりも小さい電流値が入力され、図６（ｃ）に示すようなＬＥＤ電流ＩＬＥＤ＿ＧがＬＥＤ３０−Ｇに供給されることになる。
【００３８】
また、点灯指示信号発生回路１６から点灯指示信号Ｂ＿ｏｎが出力された場合には、発振器２２から出力されるスイッチング周波数（ｆｓｗ）は、点灯指示信号Ｒ＿ｏｎが入力される場合よりも高い周波数であって、点灯指示信号Ｂ＿ｏｎが入力される場合よりも低い周波数が出力される。また、エラーアンプ２３の正の入力端子に入力される目標電流値は、点灯指示信号Ｒ＿ｏｎが入力される場合よりも小さい電流値であって、点灯指示信号Ｂ＿ｏｎが入力される場合よりも大きい電流値が入力され、図６（ｃ）に示すようなＬＥＤ電流ＩＬＥＤ＿ＢがＬＥＤ３０−Ｂに供給されることになる。これにより、図６（ｂ）に示されるような点灯と消灯が各ＬＥＤ３０−Ｒ、３０−Ｇ、３０−Ｂにおいて繰り返されることになる。
【００３９】
上記の実施形態の構成により、それぞれ負荷容量が異なるＬＥＤ３０−Ｒ、３０−Ｇ、３０−Ｂに対して、電流値が大きくなりインダクタ１１が飽和してしまう場合には、発振器２２が出力するスイッチング周波数（ｆｓｗ）を低い周波数としてインダクタ電流ＩＬを減少させて飽和状態になることを防ぎ、電流値が小さくなりインダクタ１１のインダクタ電流ＩＬに不連続現象が生じる場合には、発振器２２が出力するスイッチング周波数（ｆｓｗ）を高い周波数として不連続状態になることを防ぐことが可能となる。これにより、高輝度化を行なっても、各ＬＥＤ３０−Ｒ、３０−Ｇ、３０Ｂに対して定常的に電流を供給することができ、また、それぞれ負荷容量が異なるＬＥＤ３０−Ｒ、３０−Ｇ、３０−Ｂに対する光源点灯駆動装置１を共通化することができることから装置全体での小型化を図ることが可能となる。
【００４０】
なお、上記の実施形態の構成では、エラーアンプ２３の正の入力端子に目標電流値を入力し、エラーアンプ２３から出力される信号の大きさに従ってチョッパ回路駆動部２１にて形成される信号のデューティ比を求めて、ＬＥＤ３０−Ｒ、３０−Ｇ、３０−Ｂに供給される電流値を制御するようにしているが、本発明はこの実施形態の構成には限られない。例えば、エラーアンプ２３の正の入力端子へＬＥＤ３０−Ｒ、３０−Ｇ、３０−Ｂへの目標電圧値を入力し、ＬＥＤ３０−Ｒ、３０−Ｇ、３０−Ｂに印加される電圧をエラーアンプ２３の負の入力端子にフィードバックして入力する構成とし、電圧値に基づいてデューティ比を算出させるようにしてもよい。
【００４１】
また、エラーアンプ２３の正の入力端子、及び発振器２２に入力される信号としてそれぞれ、可変抵抗１７及び可変抵抗２４を用いて電流を発生させるようにしているが、本発明は、当該実施形態の構成には限られず、可変抵抗以外に、指示信号によって電流値や電圧値を変更して出力できる素子であればどのような素子を適用するようにしてもよい。
【図面の簡単な説明】
【００４２】
【図１】本実施形態による光源点灯駆動装置及び該装置に接続されるＬＥＤの構成を示すブロック図である。
【図２】同実施形態における光源点灯駆動装置の動作原理を説明するための図である。
【図３】同実施形態におけるインダクタ電流を示す図である。
【図４】同実施形態におけるインダクタ電流の変化を示す図（その１）である。
【図５】同実施形態におけるインダクタ電流の変化を示す図（その２）である。
【図６】同実施形態における光源点灯駆動装置の動作を説明するための図である。
【図７】従来技術における光源点灯駆動装置の構成を示したブロック図である。
【図８】従来技術における光源点灯駆動装置の動作を説明するための図である。
【図９】従来技術における共通化が図られた光源点灯駆動装置の構成を示したブロック図である。
【図１０】従来技術における共通化が図られた光源点灯駆動装置の動作を説明するための図である。
【図１１】従来技術におけるインダクタ電流の変化を示す図（その１）である。
【図１２】従来技術におけるインダクタ電流の変化を示す図（その２）である。
【符号の説明】
【００４３】
１    光源点灯駆動装置
１０  チョッパ回路
１１  インダクタ
１２  ダイオード
１３  ＦＥＴ
１４  コンデンサ
１５  スイッチ部
１５−Ｒ、１５−Ｇ、１５−Ｂ  スイッチ
１６  点灯指示信号発生回路
１７  可変抵抗
１８  抵抗
２０  ドライバＩＣ
２１  チョッパ回路駆動部
２２  発振器
２３  エラーアンプ
２４  可変抵抗
２５−１、２５−２、２５−３、２５−４  接続端子
３０−Ｒ、３０−Ｇ、３０−Ｂ  ＬＥＤ
【図１】
2008130907.tif 000006
【図２】
2008130907.tif 000007
【図３】
2008130907.tif 000008
【図４】
2008130907.tif 000009
【図５】
2008130907.tif 000010
【図６】
2008130907.tif 000011
【図７】
2008130907.tif 000012
【図８】
2008130907.tif 000013
【図９】
2008130907.tif 000014
【図１０】
2008130907.tif 000015
【図１１】
2008130907.tif 000016
【図１２】
2008130907.tif 000017